(57)【特許請求の範囲】
【請求項１】
第１扉および第２扉の２枚の扉を有する引き戸において、
前記第１扉は、本体の右側、上側および下側に、それぞれ、内側に折り曲げられた側縁部、上縁部、下縁部が設けられるとともに、本体の左側が開放された略箱状に形成されており、
第２扉は、本体の上側および下側に、それぞれ、内側に折り曲げられた上縁部、下縁部が設けられた第１扉より一回り小さい略箱状に形成されており、前記第１扉内に前記第２扉が収納可能となっているとともに、前記第１扉の上縁部の端部から上方に延び、該第１扉の上部の幅方向に設けられた下方に開口する断面略コ字状の屈曲部が、引き戸における前記第１扉および第２扉の上方に設けられた鴨居部に対し遊嵌され、 該屈曲部内に、前記第２扉の上端に幅方向に向けて設けられたガイド突片が遊嵌するようになっていることを特徴とする引き戸。
【請求項２】
前記第１扉および第２扉それぞれの下端には、引き戸底板の幅方向に設けられたガイド溝部に対し嵌入される係止手段が設けられていることを特徴とする請求項１に記載の引き戸。
【請求項３】
前記ガイド溝部は、前記底板の前方から昇り傾斜を有した段部と、該段部と所定距離離間するとともに対向するように設けられるガイド受け部とから構成され、前記第１扉および第２扉の下端の係止手段は、それぞれ第１扉および第２扉における下縁部より内方に突出するとともに折り返されて形成された係止片から形成され、前記ガイド溝部より前記係止片の厚みが大きくなるように設定されていることを特徴とする請求項２に記載の引き戸。
【請求項４】
前記係止片は、前記ガイド溝部の昇り傾斜に沿うように設定された断面略平行四辺形状に形成されていることを特徴とする請求項２または３に記載の引き戸。
【請求項５】
前記係止片には折りたたむための折れ線上に複数の穴を設けてなることを特徴とする請求項１ないし４のいずれかに記載の引き戸。
【発明の詳細な説明】
【技術分野】
【０００１】
本発明は、複数の扉が上下端部のいずれかを褶動可能に係合されて構成される引き戸に関する。
【背景技術】
【０００２】
従来、複数の扉（戸板）で構成される引き戸（キャビネット用扉）において、引き戸底板（キャビネット下面部）に、それぞれの扉の下端部が褶動可能なガイド溝（下側軌道部）が、それぞれ前後に並列するように設けられるものがある（例えば、特許文献１参照）。
【０００３】
しかしながら、従来技術１の引き戸にあっては、複数のガイド溝がそれぞれ前後に並列するように設けられているため、引き戸底板に複数のガイド溝を設ける為の領域が必要となり、扉の数に比例して引き戸全体の厚みが大きくなってしまう問題がある。
【先行技術文献】
【特許文献】
【０００４】
【特許文献１】特開２０１１−１７３１号公報
【発明の概要】
【発明が解決しようとする課題】
【０００５】
本発明は、上記のような従来技術の問題点を解決するためになされたもので、複数の扉で構成されながらも、引き戸全体の厚みが大きくならない引き戸を提供することを目的とする。
【課題を解決するための手段】
【０００６】
前記課題を解決するために、本発明の引き戸は、
第１扉および第２扉の２枚の扉を有する引き戸において、
前記第１扉は、本体の右側、上側および下側に、それぞれ、内側に折り曲げられた側縁部、上縁部、下縁部が設けられるとともに、本体の左側が開放された略箱状に形成されており、
第２扉は、本体の上側および下側に、それぞれ、内側に折り曲げられた上縁部、下縁部が設けられた第１扉より一回り小さい略箱状に形成されており、前記第１扉内に前記第２扉が収納可能となっているとともに、前記第１扉の上縁部の端部から上方に延び、該第１扉の上部の幅方向に設けられた下方に開口する断面略コ字状の屈曲部が、引き戸における前記第１扉および第２扉の上方に設けられた鴨居部に対し遊嵌され、 該屈曲部内に、前記第２扉の上端に幅方向に向けて設けられたガイド突片が遊嵌するようになっていることを特徴としている。
この特徴によれば、断面略コ字状に形成された第１扉内に第２扉が収納可能となっているとともに、第１扉の上部の幅方向に設けられた屈曲部が、引き戸における第１扉および第２扉の上方に設けられた鴨居部に対し遊嵌され、下方に開口する断面略コ字状に形成される屈曲部内に、第２扉の上端に幅方向に向けて設けられたガイド突片が遊嵌するようになっているため、複数の扉で構成されながらも、引き戸全体の厚みが大きくならない引き戸を提供することができる。
【０００７】
本発明の引き戸は、
前記第１扉および第２扉それぞれの下端には、引き戸底板の幅方向に設けられたガイド溝部に対し嵌入される係止手段が設けられていることを特徴としている。
この特徴によれば、第１扉および第２扉それぞれの下端に設けられる係止手段により、１つのガイド溝部に対し、第１扉および第２扉を褶動可能に係止することができるため、引き戸全体の厚みが小さくて済む。
【０００８】
本発明の引き戸は、
前記ガイド溝部は、前記底板の前方から昇り傾斜を有した段部と、該段部と所定距離離間するとともに対向するように設けられるガイド受け部とから構成され、前記第１扉および第２扉の下端の係止手段は、それぞれ第１扉および第２扉における下縁部より内方に突出するとともに折り返されて形成された係止片から形成され、前記ガイド溝部より前記係止片の厚みが大きくなるように設定されていることを特徴としている。
この特徴によれば、ガイド溝部に対し係止片が係合し、第１扉および第２扉がガイド溝部から脱落するのを防止することができる。また、従来のようにレールまたは凹溝がなく、前記ガイド溝部が昇り傾斜を有した段部とガイド受け部とから構成されているため、ガイド溝部への塵や埃の侵入を防止することができるばかりか、物品の通過や、引き戸の清掃を容易に行うことができる。
【０００９】
本発明の引き戸は、
前記係止片は、前記ガイド溝部の昇り傾斜に沿うように設定された断面略平行四辺形状に形成されていることを特徴としている。
この特徴によれば、前記第１扉および第２扉の下部を前記ガイド溝部にスムースに嵌入することができる。
【００１０】
本発明の引き戸は、
前記係止片には折りたたむための折れ線上に複数の穴を設けてなることを特徴としている。
この特徴によれば、係止片には折りたたむための折れ線上に複数の穴が設けられており、少ない力で突片を折りたたみ、係止片を形成することができる。
【図面の簡単な説明】
【００１１】
【図１】本発明における引き戸を有する収納家具の斜視図である。
【図２】第１扉を示す正面斜視図である。
【図３】第１扉を示す背面斜視図である。
【図４】第２扉を示す正面斜視図である。
【図５】第２扉を示す背面斜視図である。
【図６】引き戸の組立構造を示す一部断面図である。
【図７】図６のＡ−Ａ断面図である。
【図８】係止片を示す一部拡大斜視図である。
【発明を実施するための形態】
【実施例１】
【００１２】
実施例に係る引き戸２につき、図１から図８を参照して説明する。図１の符号１は、壁や天井および床等に対し設置される収納家具である。この収納家具１は、収納家具１の幅方向に左右に褶動可能な引き戸２が設けられている。この引き戸は、正面側に第１扉３が、その奥に第２扉４がそれぞれ取り付けられて構成されている。
【００１３】
図２および３に示すように、第１扉３は、金属板を折り曲げ加工して形成され、本体３０の右側、上側および下側に、それぞれ、内側に折り曲げられた側縁部３６、上縁部３７、下縁部３８が設けられ、図２の紙面左側が開放された略箱状に形成されており、後述する第２扉４を内部に収納できる収納部３５が設けられている。また、図２の紙面右側には側縁部３６の端部から延長され、外側に折り曲げられて取手部分１４が形成されている。また、図２および図３に示すように、第１扉３上部には上縁部３７の端部から上方に延び、下方に開口する断面略コ字状の屈曲部３２が形成されており、後述する鴨居部７に遊嵌されるようになっている。さらに、第１扉３の下部には、下縁部３８より内方に突出するととも上側に折り返されて形成される断面略平行四辺形状の係止片３４が幅方向に所定距離離間して２つ設けられ、この係止片３４が後述するガイド溝部１０に対し嵌入するようになっている。なお、第１扉３の下部に設けられる係止片３４は２つに限らず、３つ以上の複数個設けられていてもよい。また、係止片３４は上側に折り返されて形成されずともよく、たとえば下側に折り返されて形成されていてもよい。
【００１４】
図４および５に示すように、第２扉４は、金属板を折り曲げ加工して形成され、本体４０の左側、上側および下側に、それぞれ、内側に折り曲げられた側縁部６２ａ，６２ｂ、上縁部６３、下縁部６４が設けられた第１扉３より一回り小さい略箱状に形成されており、前記第１扉３における収納部３５に収納可能となっている。また、図４の紙面左側には側縁部６２ａの端部から延長され、外側に折り曲げられて取手部分４１が形成されている。また図４および図５に示すように、第２扉４上部には上縁部６３の端部から上方に延びたガイド突片４２が形成されており、前記第１扉３上部の屈曲部３２に遊嵌されるようになっている。さらに、第２扉４の下部には、下縁部６４より内方に突出するととも上側に折り返されて形成される断面略平行四辺形状の係止片４４が幅方向に所定距離離間して２つ設けられ設けられ、この係止片４４が後述するガイド溝部１０に対し嵌入するようになっている。なお、第２扉４の下部に設けられる係止片４４は２つに限らず、３つ以上の複数個設けられていてもよい。また、係止片４４は上側に折り返されて形成されずともよく、たとえば下側に折り返されて形成されていてもよい。
【００１５】
図６に示すように、収納家具１における天板５は金属板により形成されており、天板５の正面側上端部６５において下方に向けて屈曲され、正面側下端部６６において内方に向けて屈曲され、続いて、内方端部６７におい上方に屈曲されて、鴨居受け６１が形成されている。この鴨居受け６１の内側面に沿うように、内鴨居６０が引き戸２部分の上辺に幅方向に渡って取り付けられている。こうして上述した鴨居受けの外面５１１と、内鴨居の外面６０１との間に鴨居部６が形成されている。
【００１６】
また、図１および６に示すように、収納家具１における底板Ｓは、前底板７、内底板８及び外底板９により構成されており、前底板７の内端の立上り片７１と、該立上り片７１を上側から覆うように屈曲した内底板８の前端のガイド受け部８１との間に、ガイド溝部１０が形成されている。詳しくは、ガイド溝部１０は、前底板７の前方から立上り片７１に至る途中に形成された昇り傾斜の段部７２と、これと所定距離離間するとともに対向するように設けられたガイド受け部８１の先端折返傾斜片８２との間に隙間が形成され、前方から昇り傾斜の形状を有している。また、ガイド溝部１０より第１扉３の係止片３４，３４および第２扉の係止片４４，４４のそれぞれの厚みが大きくなるように設定されているため、ガイド受け部８１を弾性変形させて係止片３４および４４がガイド溝部１０に嵌入されると、第１扉および第２扉がガイド溝から脱落しないようになっている。
【００１７】
このため、第１扉３の屈曲部３２が上述の鴨居部７に対し遊嵌されるとともに係止片３４，３４がガイド溝部１０に対し嵌入され、また、同じく第２扉４のガイド突片４２が屈曲部３２に対し遊嵌されるとともに係止片４４，４４がガイド溝部１０に対し嵌入されて、引き戸２が組み上がるようになっている。
【００１８】
さらに図６および図７に示すように、係止片３４，３４および４４，４４の根元付近下面には樹脂製の滑性部材１１がそれぞれ固着されており、滑性部材１１が引き戸２底面に当接し褶動するため、第１扉３および第２扉４の開閉移動を円滑にすることができる。
【００１９】
図７に示すように、第１扉３下方に設けられる係止片３４，３４と第２扉４下方に設けられる係止片４４，４４とが互いに幅方向にずれて設けられているため、引き戸２の開状態の際に互いの係止片が干渉するのを防止するとともに、最も効率の良い引き戸の開き幅を設定することができる。
【００２０】
また図８に示すように、係止片３４，３４および４４，４４は、上述の通り、それぞれ第１扉３および第２扉４における下縁部３８および４８より内方に突出するととも上側に折り返されて断面視略平行四辺形状に形成されるが、折りたたむための折れ線上には複数のミシン穴６８が設けられており、少ない力で係止片３４および４４を形成することができる。
【００２１】
以上説明したように、断面略コ字状に形成された第１扉３内に第２扉４が収納可能となっているとともに、第１扉３の上部の幅方向に設けられた屈曲部３２が、引き戸２における第１扉３および第２扉４の上方に設けられた鴨居部７に対し遊嵌され、下方に開口する断面略コ字状に形成される屈曲部３２内に、第２扉４の上端に幅方向に向けて設けられたガイド突片４２が遊嵌するようになっているため、複数の扉で構成されながらも、引き戸２全体の厚みが大きくならない引き戸２を提供することができる。
【００２２】
第１扉３および第２扉４それぞれの下端には、引き戸２底板の幅方向に設けられたガイド溝部１０に対し褶動可能に係止される係止手段である係止片３４および４４が設けられているため、１つのガイド溝部１０に対し、第１扉３および第２扉４を褶動可能に係止することができるため、引き戸２全体の厚みが小さくて済む。
【００２３】
ガイド溝部１０は、床面から上方に位置する前底板７および内底板８の間に設けられるため、ガイド溝部１０への塵や埃の侵入を防止することができるばかりか、引き戸底板Ｓを、レールあるいは溝を設けることなく、フラットにできるため、物品の通過や、引き戸２の清掃を容易に行うことができる。
【００２４】
ガイド溝部１０は、底板Ｓの前方から昇り傾斜を有した段部と、該段部と所定距離離間するとともに対向するように設けられるガイド受け部８１とから構成され、前記第１扉３および第２扉４の下端の係止手段は、それぞれ第１扉３および第２扉４における下縁部より内方に突出するとともに折り返されて形成された係止片３４および４４から形成され、前記ガイド溝部８１より前記係止片３４および４４の厚みが大きくなるように設定されているため、ガイド溝部１０に対し係止片３４および４４が係合し、第１扉３および第２扉４がガイド溝部１０から脱落するのを防止することができる。また、従来のようにレールまたは凹溝がなく、前記ガイド溝部１０が昇り傾斜を有した段部とガイド受け部８１とから構成されているため、ガイド溝部１０への塵や埃の侵入を防止することができるばかりか、物品の通過や、引き戸２の清掃を容易に行うことができる。
【００２５】
係止片３４および４４は、ガイド溝部１０の昇り傾斜に沿うように設定された断面視略平行四辺形状に形成されているため、前記第１扉３および第２扉４の下部を前記ガイド溝部１０にスムースに嵌入することができる。
【００２６】
係止片３４および４４を形成する突片には折りたたむための折れ線上に複数のミシン穴６８が設けられており、特別な器具を用いずとも少ない力で突片を折りたたみ、係止片３４および４４を形成することができる。
【００２７】
また、実施例における第１扉３、第２扉４、底板Ｓ、天板５、背板（図示せず）および側板１５は、全て金属板を折り曲げて略箱状に加工されているため加工工程が簡単であるばかりか、一枚の金属板でありながら十分な強度を持たせることが可能になっている。
【００２８】
以上、本発明の実施形態を図面により説明してきたが、具体的な構成はこれら実施形態に限られるものではなく、本発明の要旨を逸脱しない範囲における変更や追加があっても本発明に含まれる。
【００２９】
実施例において第１扉３が外側、第２扉４が内側に配置されるようになっているが、第２扉４が外側で、第１扉３が内側に配置されるようになっていてもよい。
【００３０】
実施例において本発明の引き戸２は収納家具１の扉に用いられる態様で説明されているが、この限りではなく、その使用用途は多岐にわたり、たとえば備え付けの収納家具や、部屋と部屋の間を仕切る襖などに使用することができる。
【符号の説明】
【００３１】
１                収納家具
２                引き戸
３                第１扉
４                第２扉
５                天板
６                鴨居部
７                前底板
８                内底板
９                外底板
１０              ガイド溝部
１１              滑性部材
１５              側板
３２              屈曲部
３４              係止片
３５              収納部
４２              ガイド突片
４４              係止片
６０              内鴨居
６８              ミシン穴
７１              立上り片
７２              昇り傾斜の段部
Ｓ                底板
【図１】
0005911090.tif 000002
【図２】
0005911090.tif 000003
【図３】
0005911090.tif 000004
【図４】
0005911090.tif 000005
【図５】
0005911090.tif 000006
【図６】
0005911090.tif 000007
【図７】
0005911090.tif 000008
【図８】
0005911090.tif 000009